(57)【特許請求の範囲】
【請求項１】
それぞれ異なる色に対応する４以上のサブ画素を一組として有する表示画素を用いて、画像の表示を行う画像表示装置であって、
前記表示画素は、前記４以上のサブ画素のうち、彩度が最も小さい２つのサブ画素が、当該表示画素の両端に配置されており、
前記彩度は、輝度−反対色空間における視覚空間特性に基づいて定義され、前記画像表示装置の表示特性に応じた三刺激値Ｘ、Ｙ、Ｚに基づいて求められることを特徴とする画像表示装置。
【請求項２】
前記表示画素は、
当該表示画素の両端から中央に向かって順に前記サブ画素を配置した場合において、前記サブ画素を順に配置するごとに、当該表示画素の中央から右側に配置したサブ画素と当該サブ画素に隣接するサブ画素とから色成分の加算値を求めると共に、当該表示画素の中央から左側に配置したサブ画素と当該サブ画素に隣接するサブ画素とから色成分の加算値を求め、求められた２つの前記色成分の加算値を加算することで得られた値が最も小さくなるように、前記サブ画素が配置されていることを特徴とする請求項１に記載の画像表示装置。
【請求項３】
前記表示画素は、前記サブ画素が、エメラルドグリーン、赤、緑、青、黄色の順で配置されていることを特徴とする請求項１又は２に記載の画像表示装置。
【請求項４】
前記表示画素は、前記サブ画素が、エメラルドグリーン、赤、青、緑、白の順で配置されていることを特徴とする請求項１又は２に記載の画像表示装置。
【請求項５】
前記表示画素は、前記サブ画素が、エメラルドグリーン、赤、青、緑、黄色、白の順で配置されていることを特徴とする請求項１又は２に記載の画像表示装置。
【請求項６】
前記表示画素は、前記画像表示装置における縦方向に同一色が連なるように直線上に複数配置されていることを特徴とする請求項１乃至５のいずれか一項に記載の画像表示装置。
【請求項７】
前記表示画素は、縦方向において上下に隣接する前記表示画素同士において、それぞれの表示画素が有する前記サブ画素が少なくとも１つのサブ画素分だけ上下でずれるように配置されていることを特徴とする請求項１乃至６のいずれか一項に記載の画像表示装置。
【請求項８】
前記サブ画素の横幅は、前記表示画素が５つのサブ画素によって構成される場合、当該表示画素の横幅の概ね５分の１であることを特徴とする請求項６又は７に記載の画像表示装置。
【請求項９】
請求項１乃至８のいずれか一項に記載の画像表示装置と、
前記画像表示装置に電圧を供給する電源装置と、を備えることを特徴とする電子機器。
【請求項１０】
それぞれ異なる色に対応する４以上のサブ画素を一組として有する表示画素を用いて画像の表示を行う画像表示装置に対して、前記サブ画素の配置を決定する画素配置設計方法であって、
前記４以上のサブ画素のうち、彩度が最も小さい２つのサブ画素を、当該表示画素の両端に配置する工程を備え、
前記彩度は、輝度−反対色空間における視覚空間特性に基づいて定義され、前記画像表示装置の表示特性に応じた三刺激値Ｘ、Ｙ、Ｚに基づいて求められることを特徴とする画素配置設計方法。
【発明の詳細な説明】
【技術分野】
【０００１】
本発明は、画像表示装置、電子機器、及び画素配置設計方法に関する。
【背景技術】
【０００２】
従来から、４以上の色を用いて、画像を表示可能な画像表示装置が知られている。例えば、特許文献１には、４色を用いて表示を行う画像表示装置が記載されている。
【０００３】
【特許文献１】特開２００１−３０６０２３号公報
【発明の開示】
【発明が解決しようとする課題】
【０００４】
しかしながら、上記した特許文献１に記載された技術では、視覚への影響を十分に考慮して、サブ画素の配置を行っていなかった。
【０００５】
本発明は、以上の点に鑑みてなされたものであり、視覚への影響を十分に考慮して、４以上の色を構成するサブ画素が配置された画像表示装置、画像表示装置を有する電子機器、及び、画素の配置を決定する画素配置設計方法を提供することを課題とする。
【課題を解決するための手段】
【０００６】
本発明の１つの観点では、それぞれ異なる色に対応する４以上のサブ画素を一組として有する表示画素を用いて、画像の表示を行う画像表示装置は、前記表示画素は、前記４以上のサブ画素のうち、彩度が最も小さい２つのサブ画素が、当該表示画素の両端に配置されており、前記彩度は、輝度−反対色空間における視覚空間特性に基づいて定義され、前記画像表示装置の表示特性に応じた三刺激値Ｘ、Ｙ、Ｚに基づいて求められる。
【０００７】
上記の画像表示装置は、それぞれ異なる色に対応する４以上のサブ画素を一組として有する表示画素を用いて、画像の表示を行う。この表示画素は、４以上のサブ画素のうち、彩度が最も小さい２つのサブ画素が、両端に配置されている。これにより、エッジ周辺部のｕ＊およびｖ＊色成分差の加算値を小さくすることができ、人間が観察した際のエッジの色割れ現象を軽減することができる。したがって、上記の画像表示装置は、高品質の画像を表示することが可能となる。
なお、彩度は、輝度−反対色空間における視覚空間特性に基づいて定義され、画像表示装置の表示特性に応じた三刺激値Ｘ、Ｙ、Ｚに基づいて求められる。
【０００９】
上記の画像表示装置の他の一態様では、前記表示画素は、当該表示画素の両端から中央に向かって順に前記サブ画素を配置した場合において、前記サブ画素を順に配置するごとに、当該表示画素の中央から右側に配置したサブ画素と当該サブ画素に隣接するサブ画素とから色成分の加算値を求めると共に、当該表示画素の中央から左側に配置したサブ画素と当該サブ画素に隣接するサブ画素とから色成分の加算値を求め、求められた２つの前記色成分の加算値を加算することで得られた値が最も小さくなるように、前記サブ画素が配置されている。即ち、表示画素は、概ね反対の色を有するサブ画素が隣接されている。これにより、視覚フィルタ処理によって、各サブ画素の色成分が相殺される事により、色割れを効果的に小さくすることができる。
【００１１】
上記の画像表示装置において好適な例では、前記表示画素は、前記サブ画素が、エメラルドグリーン、赤、緑、青、黄色の順で配置されている。
【００１２】
上記の画像表示装置において好適な他の例では、前記表示画素は、前記サブ画素が、エメラルドグリーン、赤、青、緑、白の順で配置されている。
【００１３】
更に、上記の画像表示装置において好適な他の例では、前記表示画素は、前記サブ画素が、エメラルドグリーン、赤、青、緑、黄色、白の順で配置されている。
【００１４】
また、好適な例では、前記表示画素は、前記表示画素は、前記画像表示装置における縦方向に同一色が連なるように直線上に複数配置されている。即ち、表示画素がストライプ配置されている。なお、縦方向とは走査方向に直交する方向を意味する。
【００１５】
他の好適な例には、前記表示画素は、縦方向において上下に隣接する前記表示画素同士において、それぞれの表示画素が有する前記サブ画素が少なくとも１つのサブ画素分だけ上下でずれるように配置されている。これにより、表示画像の劣化を抑制しつつ、横方向の表示画素の個数を減らすことができる。よって、画像表示装置を低コスト化することが可能となる。
【００１６】
好ましくは、前記サブ画素の横幅は、前記表示画素が５つのサブ画素によって構成される場合、当該表示画素の横幅の概ね５分の１である。
【００１７】
また、上記の画像表示装置は、画像表示装置に対して電圧を供給する電源装置を備える電子機器に好適に適用することができる。
【００１８】
本発明の他の観点では、それぞれ異なる色に対応する４以上のサブ画素を一組として有する表示画素を用いて画像の表示を行う画像表示装置に対して、前記サブ画素の配置を決定する画素配置設計方法は、前記４以上のサブ画素のうち、彩度が最も小さい２つのサブ画素を、当該表示画素の両端に配置する工程を備え、前記彩度は、輝度−反対色空間における視覚空間特性に基づいて定義され、前記画像表示装置の表示特性に応じた三刺激値Ｘ、Ｙ、Ｚに基づいて求められる。このような画素配置設計方法に基づいてサブ画素を配置することにより、エッジ周辺部のｕ＊およびｖ＊色成分差の加算値が小さく、人間が観察した際のエッジの色割れ現象が軽減された画像表示装置を作成することが可能となる。
【発明を実施するための最良の形態】
【００１９】
以下、図面を参照して本発明の好適な実施形態について説明する。
【００２０】
［第１実施形態］
本発明の第１実施形態について説明する。
【００２１】
（全体構成）
図１は、第１実施形態に係る画像表示装置１００の概略構成を示すブロック図である。画像表示装置１００は、主に、画像処理部１０と、データ線駆動回路２１と、走査線駆動回路２２と、表示部２３と、を有する。画像表示装置１００は、５以上の色を用いて画像を表示可能に構成されている。具体的には、画像表示装置１００は、赤、緑、青、エメラルドグリーン、及び黄色の５色（以下、単に「Ｒ」、「Ｇ」、「Ｂ」、「ＥＧ」、「Ｙ」とも表記する。）を表示可能に構成されている。
【００２２】
画像処理部１０は、Ｉ／Ｆ制御回路１１と、色変換回路１２と、ＶＲＡＭ１３と、アドレス制御回路１４と、テーブル格納メモリ１５と、γ補正回路１６と、を備える。Ｉ／Ｆ制御回路１１は、外部（例えばカメラなど）から画像データと制御コマンドを取得し、画像データｄ１を色変換回路１２に供給する。なお、外部から供給される画像データは、Ｒ、Ｇ、Ｂの３色で構成されている。
【００２３】
色変換回路１２は、取得した画像データｄ１に対して、３色から５色に変換する処理を行う。この場合、色変換回路１２は、テーブル格納メモリ１５に記憶されたデータなどを参照して色変換などの画像処理を行う。色変換回路１２で画像処理された画像データｄ２は、ＶＲＡＭ１３に書き込まれる。ＶＲＡＭ１３に書き込まれた画像データｄ２は、アドレス制御回路からの制御信号ｄ２１に基づいて、γ補正回路１６によって画像データｄ３として読み出されると共に、走査線駆動回路２２によってアドレスデータ（走査線駆動回路２２はアドレスデータを元に同期をとるため）ｄ４として読み出される。γ補正回路１６は、テーブル格納メモリ１５に記憶されたデータなどを参照して、取得した画像データｄ３に対してγ補正を行う。そして、γ補正回路１６は、γ補正後の画像データｄ５をデータ線駆動回路２１に供給する。
【００２４】
データ線駆動回路２１は、３２００本のデータ線に対してデータ線駆動信号Ｘ１〜Ｘ３２００を供給する。走査線駆動回路２２は、４８０本の走査線に対して走査線駆動信号Ｙ１〜Ｙ４８０を供給する。この場合、データ線駆動回路２１と走査線駆動回路２２は、同期して表示パネル２３を駆動する。表示部２３は、液晶（ＬＣＤ）によって構成され、ＲＧＢＥＧＹの５色を用いて画像を表示する。また、表示部２３は、ＲＧＢＥＧＹに対応する５つの画素（以下、「サブ画素」と呼ぶ。）を一組として有する単位画素（以下、「表示画素」と呼ぶ。）が、「縦４８０個×横６４０個」有するＶＧＡサイズによって構成されている。そのため、データ線の数が「６４０×５＝３２００本」となっている。表示部２３は、走査線及びデータ線に電圧を印加されることによって、表示すべき文字や映像などの画像を表示する。
【００２５】
図２は、表示部２３の各画素を拡大して示した概略図である。白丸１５３は、表示画素１５１の位置を示しており、ハッチングの違いは、サブ画素１５２を構成する「Ｒ」、「Ｇ」、「Ｂ」、「ＥＧ」、「Ｙ」の違いを示している。この場合、表示画素１５１は、縦方向に同一色が連なるように直線上に複数配置されている、即ちストライプ配置されている。また、表示画素１５１の縦横の長さ比が「１:１」であることから、サブ画素１５２に関しては、縦方向の長さを「１」とすれば、横方向の長さは「０．２」となる。なお、本明細書では、「縦方向」とは走査方向に直交する方向を意味し、「横方向」とは走査方向に水平な方向を意味する。サブ画素１５２の具体的な配置、及びサブ画素１５２の配置を決定する方法については、詳細は後述する。
【００２６】
図３は、表示部２３の具体的な構成を示す斜視図である。図３に示すように、ＴＦＴアレイ基板２３ｇの内側には画素電極２３ｆが形成され、対向基板２３ｂの内側には共通電極２３ｄが形成されている。更に、対向基板２３ｂと共通電極２３ｄの間には、カラーフィルタ２３ｃが形成されている。また、ＴＦＴアレイ基板２３ｇと対向基板２３ｂの外側には、バックライトユニット２３ｉと、上下偏光板２３ａ、２３ｈとが形成されている。
【００２７】
具体的には、ＴＦＴアレイ基板２３ｇ及び対向基板２３ｂは、ガラス・プラスチック等の透明基板によって構成されている。また、画素電極２３ｆ及び共通電極２３ｄは、ＩＴＯ（インジウムスズ酸化物）等の透明導電体によって形成されている。更に、画素電極２３ｆは、ＴＦＴアレイ基板２３ｇに設けられたＴＦＴ（Thin film Transistor）に接続されており、当該ＴＦＴのスイッチング駆動に応じて、共通電極２３ｄと画素電極２３ｆの間の液晶層２３ｅに電圧を付与するようになっている。液晶層２３ｅは、共通電極２３ｄと画素電極２３ｆによって付与された電圧値に応じて配列が変化する液晶分子を有している。
【００２８】
このような液晶層２３ｅ及び上下偏光板２３ａ、２３ｈにおいては、液晶層２３ｅに付与される電圧値に応じて液晶分子の配列が変化することで、液晶層２３ｅ及び上下偏光板２３ａ、２３ｈを透過する光量が変わる。そのため、液晶層２３ｅは、バックライトユニット２３ｉ側から入射する光の光量を制御して、観察者側に所定の透光量で透過させる。バックライトユニット２３ｉは、光源と導光板によって構成されている。このような構成においては、光源から発光した光を導光板内部に均一に広げて、図３中の矢印で示す方向に光源光を出射するようになっている。光源は、蛍光管や白色ＬＥＤ等から構成され、導光板は、アクリル等の樹脂から構成される。このような構成を有する表示部２３は、バックライトユニット２３ｉの発光を矢印で示す方向に向けて出射し、対向基板２３ｂ側から取り出す透過型液晶表示装置である。即ち、バックライトユニット２３ｉの光源光を利用して液晶表示を行うようになっている。
【００２９】
図４は、表示部２３の各画素の分光特性を示した図である。図４（ａ）は表示部２３で用いられるカラーフィルタ２３ｃの透過特性をＲＧＢＥＧＹ各画素で示した図であり、横軸が波長（ｎｍ）を示し、縦軸が透過率（％）を示している。図４（ｂ）は、ＢｌｕｅＬＥＤ及び蛍光体による白色ＬＥＤで構成されたバックライトの発光スペクトルを示しており、横軸が波長（ｎｍ）を示し、縦軸が相対輝度を示している。図４（ｃ）は、各画素の分光特性をＲＧＢＥＧＹ各画素について示した図である。図４（ｃ）も、横軸が波長（ｎｍ）を示し、縦軸が相対輝度を示している。図４（ｄ）は、ＲＧＢＥＧＹ各画素の分光特性をもとに、ｘｙ色度図上にプロットした図を示す。図４（ｄ）における五角形の内部が表示部２３において再現できる色を示し、この五角形が表示部２３における色再現領域に対応する。また、五角形の頂点が、色を構成するＲＧＢＥＧＹに対応する。ＲＧＢＥＧＹ５色の加法混色によって色再現を行うことによって、通常の３色による色再現よりも、より広範囲のあざやかな色を再現することが可能となる。
【００３０】
（サブ画素誤差確認方法）
第１実施形態では、視覚への影響を十分に考慮した形で、５色ＲＧＢＥＧＹのサブ画素を配置する。ここでは、サブ画素の配置するに当たって考慮すべき視覚特性などについて説明する。具体的には、サブ画素の配置が異なる場合に、視覚特性上にどのような影響があるかを説明する。
【００３１】
上記した視覚特性上の影響を確認するために、サブ画素誤差確認処理を行う。このサブ画素誤差確認処理とは、Original画像に対するReproduction画像の誤差を確認するために行う処理である。「Original画像」とは、サブ画素を用いずに空間的に完全混色させて構成された理想的な表示部を、距離Ｘ離れて観察した際の、人間の見えを再現した画像である。また、「Reproduction画像」とは、ＲＧＢＥＧＹのサブ画素の配置順候補の表示部を、距離Ｘ離れて観察した際の、人間の見えを再現した画像である。
【００３２】
ここで、サブ画素を用いた画像表示装置では、各画素を平面上に並べて配置し、微細な発光の混色によって色を再現するが、視覚特性の関係上、各画素の配置によってエッジボケや色割れ（偽色）が発生する場合がある。したがって、サブ画素誤差確認処理を実行することによって、これらエッジのボケ度合いや色割れを誤差として確認する。なお、この誤差は、Original画像とReproduction画像とのＬ＊、ｕ＊、ｖ＊成分の差に対応する。
【００３３】
図５は、サブ画素誤差確認処理を示すフローチャートである。サブ画素誤差確認処理は、コンピュータなどによって実行される。
【００３４】
まず、Original画像の成方法を説明する。原画像としてＲＧＢ画像を入力し（ステップＳ１０１）、ＸＹＺに変換する（ステップＳ１０２）。そして、ステップＳ１０３では、ＸＹＺを輝度-反対色空間へ変換し、これをＬｕｍ、Ｒ／Ｇ、Ｂ／Ｙの各成分として表す。この場合、輝度−反対色空間への変換方法としては公知の方法を用いることができる。そして、ステップＳ１０４では、各画像を輝度−反対色空間において視覚特性に応じたフィルタ処理を行う。このフィルタ処理については後述する。次に、輝度−反対色空間から各画像をＸＹＺに変換し（ステップＳ１０５）、得られたＸＹＺをＬ＊ｕ＊ｖ＊に変換する（ステップＳ１０６）ことによって、Original画像を作成する。
【００３５】
次に、Reproduction画像の作成方法を説明する。まず、ステップＳ１１１で、横１／５倍密の原画像を入力する。そして、ステップＳ１１２で、各色のＸＹＺを入力する。各色のＸＹＺは、カラーフィルタやバックライトの分光特性から決定できる値であり、シミュレーションや実測によって求める。そして、ステップＳ１１３で、ＲＧＢ画像を入力した各色のＸＹＺ値を用いて３色（ＲＧＢ）→５色変換（ＲＧＢＥＧＹ）を行い、１画素をＲＧＢＥＧＹ各画素の配置順候補に合わせて５画素に分解し、ＸＹＺに変換する。そして、得られたＸＹＺを輝度−反対色空間へ変換し（ステップＳ１１４）、視覚特性に応じたフィルタ処理を行い（ステップＳ１１５）、輝度−反対色空間からＸＹＺに変換する（ステップＳ１１６）。そして、ステップＳ１１７において、ＸＹＺからＬ＊ｕ＊ｖ＊に変換することによって、Reproduction画像を作成する。
【００３６】
次に、ステップＳ１２０では、上記のようにして作成されたOriginal画像とReproduction画像のＬ＊、ｕ＊、ｖ＊成分の差を確認する。以上の処理が終了すると、処理は当該フローを抜ける。
【００３７】
図６は、輝度−反対色成分に対するフィルタ特性を表した図である。図６は、左にＬｕｍ成分のグラフを示し、中央にＲ／Ｇ成分のグラフを示し、右にＹ／Ｂ成分のグラフを示しており、それぞれ横軸に画像における位置を示し、縦軸に重み（詳しくは、視距離が近い場合におけるＬｕｍ成分を「１」としたときの相対的な値）を示している。また、上段に視距離が近い場合のグラフを示し、下段に視距離が遠い場合のグラフを示している。図６に示すように、フィルタ特性は、輝度−反対色それぞれの成分に関して別々の振幅特性と広がり幅を持つ。また、フィルタ特性は視覚特性に対応しているため、視距離によっても特性が変化する。更に、Ｒ/Ｇ成分の方がＢ/Ｙ成分よりもフィルタの振幅が大きいことがわかる。
【００３８】
図７は、図５に示したサブ画素誤差確認処理によって得られた結果の一例を示している。図７（ａ）は、サブ画素誤差確認処理に用いた空間的パターンを示している。具体的には、ＲＧＢＥＧＹの順で配置された表示画素を用い、中央の符号１６０で示す表示画素を非点灯（全遮断）状態にし、その両側に位置する符号１６１、１６２で示す表示画素群を全点灯（全透過）状態にする。即ち、中央部分を黒で表示し、その両側を白で表示させる空間的パターン（以下、「黒白パターン」とも呼ぶ。）を用いている。なお、本明細書では、サブ画素の配置順を「ＲＧＢＥＧＹ」と表記した場合には、左または右から順に「Ｒ」、「Ｇ」、「Ｂ」、「ＥＧ」が配置していることを示すものとする。また、「ＲＧＢＥＧＹ」の配置順を逆にした「ＹＥＧＢＧＲ」は、「ＲＧＢＥＧＹ」と同一の配置順を意味するものとする。
【００３９】
図７（ｂ）、（ｃ）、（ｄ）は、横軸に黒白パターンに対応する画像位置を示し、縦軸にそれぞれＬ＊、ｕ＊、ｖ＊成分を示している。図７（ｂ）では、サブ画素平面配置を用いずに空間的に完全混色させたOriginal画像の結果を重ねて表示している。図７（ｂ）より、エッジ周辺部において、周囲のサブ画素の影響を受け、輝度勾配に差が生じていることがわかる。このように輝度勾配が小さくなる程、エッジのボケは大きくなる。また、エッジ周辺部におけるOriginal画像とReproduction画像とのＬ＊成分差の加算値が大きい程、左右エッジの輝度勾配が小さくなると共に、コントラスト（輝度最大値と最小値の差）が低くなり、エッジのボケが大きくなる傾向にある。一方、図７（ｃ）、図７（ｄ）より、ｕ＊成分、及びｖ＊成分の両方とも、周囲のサブ画素の影響を受けて色成分が増加し、色割れを引き起こしていることがわかる。
【００４０】
ここで、上記の図５〜図７で示した事実を考慮に入れて、５色ＲＧＢＥＧＹの各画素の配置候補に対してサブ画素誤差確認処理を行い、その結果を考察する。
【００４１】
図８は、５色ＲＧＢＥＧＹの配置候補を全て示している。なお、ＲＧＢＥＧＹにおける組み合わせの数は「５×４×３×２×１＝１２０個」であるが、左右の対称性を考慮すれば、配置候補の数はこの半分の６０個となる。即ち、例えば「ＲＧＢＥＧＹ」を「ＹＥＧＢＧＲ」と同一のものとして扱う。
【００４２】
図９は、図８に示した６０個の配置候補に対して、サブ画素誤差確認処理を行ったときの結果を示している。図９に示すグラフは、横軸に黒白パターンに対応する画像位置を示し、縦軸にｕ＊及びｖ＊色成分の値を示している。また、それぞれのグラフは、Original画像とReproduction画像とを重ねて表示している。これらのグラフにより、「ＥＧＲＧＢＹ」の配置順にした場合（図９において太線で囲んだグラフ）に、エッジ周辺部のｕ＊及びｖ＊色成分差の加算値が比較的小さいという結果が得られる。
【００４３】
（サブ画素配置方法）
次に、第１実施形態に係るサブ画素配置方法について説明する。第１実施形態では、以下に示す第１の条件及び第２の条件に従ってサブ画素配置を行う。
【００４４】
まず、第１の条件としては、複数のサブ画素のうち、視覚フィルタの特性を反映させた形で補正された彩度（以下、「Ｃｈ１」と表記する）が小さいサブ画素を表示画素の両端に配置する。詳しくは、彩度Ｃｈ１は、色成分Ｒ/Ｇ、Ｂ／Ｙを視覚特性に応じて補正することによって得られた色成分（以下、「Ｒ/Ｇ１」、「Ｂ／Ｙ１」と表記する。）を用いることによって求められる。このように５つのサブ画素を一組とする表示画素の両端に彩度Ｃｈ１の小さいサブ画素を配置することによって、例えば図７（ａ）に示した黒白のパターンに対して視覚特性のフィルタ処理を行った場合、エッジ周辺部のｕ＊及びｖ＊色成分差が小さくなり、色割れを小さくすることができると考えられる。これは、表示画素の両端に位置するサブ画素の色の大きさ、即ち彩度Ｃｈ１が、そのままフィルタ処理結果における色成分発生の要因となっているからである。
【００４５】
第２の条件としては、隣接するサブ画素における色成分の加算値が小さくなるように、サブ画素を配置する。具体的には、上記した第１の条件に基づいて表示画素の両端に配置するサブ画素が決定された場合、第２の条件に従うことによって、以下のように、残りのサブ画素の配置位置が決定される。まず、表示画素の端から２番目にサブ画素を配置することを考える。表示画素の両端から１番目及び２番目のサブ画素の候補から、色成分Ｒ/Ｇ１、Ｂ／Ｙ１を求め、１番目と２番目のＲ/Ｇ１を加算して色成分加算値（以下、「Ｒ/Ｇ２」と表記する）を得ると共に、１番目と２番目のＢ／Ｙ１を加算することによって色成分加算値（以下、「Ｂ/Ｙ２」と表記する）を得る。そして、求められた色成分加算値Ｒ/Ｇ２、Ｂ／Ｙ２から彩度（以下、「Ｃｈ２」と表記する。）を得る。この彩度Ｃｈ２は、表示画素の左側と右側とから、２つ求められる。次に、このように得られた２つの彩度Ｃｈ２を加算することによって彩度加算値（以下、「Ｃｈ３」と表記する。）を得る。ここで、第２の条件に従うことによって、彩度加算値Ｃｈ３が小さくなるような、即ち隣接するサブ画素における色成分加算値Ｒ/Ｇ２、Ｂ／Ｙ２が小さくなるような、表示画素の端から２番目に配置すべきサブ画素を決定することができる。
【００４６】
更に、表示画素の両端から３番目のサブ画素を決定する際は、左端から２番目及び３番目のサブ画素から得られる彩度Ｃｈ２と、右端から２番目及び３番目のサブ画素から得られる彩度Ｃｈ２と、を加算した彩度加算値Ｃｈ３を得る。この場合も、第２の条件に従うことによって、彩度加算値Ｃｈ３が小さくなるような、表示画素の端から３番目に配置すべきサブ画素を決定することができる。なお、両端から４番目以降の位置に配置するサブ画素を決定する場合にも同様の手順を行うことによって、サブ画素を配置することができる。このように、隣接するサブ画素の各色成分Ｒ/Ｇ１、Ｂ/Ｙ１の色成分加算値Ｒ/Ｇ２、Ｂ／Ｙ２を小さくすることによって、反対の色の関係にあるサブ画素を隣接させることができる。例えば、色成分Ｒ/Ｇ１がＲ方向（＋方向）にあるサブ画素の隣には、色成分Ｒ/Ｇ１がＧ方向（−方向）にあるサブ画素が配置されることとなる。このように全てのサブ画素に対して反対の色を隣接させることによって、視覚フィルタ処理によって、各サブ画素の色成分が相殺される事により、色割れを小さくすることができる。
【００４７】
図１０は、ＲＧＢＥＧＹの彩度や彩度加算値などを具体的に示した表である。図１０（ａ）は、ＲＧＢＥＧＹ各色に関して、ＸＹＺから求めたＬｕｍ、Ｒ/Ｇ、Ｂ/Ｙ成分と、Ｒ/Ｇ−Ｂ／Ｙ平面での原点からの距離を計算することによって得られる彩度Ｃｈを示す。また、Ｒ/Ｇ、Ｂ／Ｙ各々の成分を、視覚フィルタの特性を反映させた形で補正した後のＲ/Ｇ１、Ｂ／Ｙ１成分と、これらを用いることによって得られる彩度Ｃｈ１と、を示す。図１０（ｂ）は、視覚フィルタを反映させた形で補正する際に用いる補正係数を示す。具体的には、これらの補正係数は、表示部２３の解像度２００［ppi］で、観察距離１００［mm］であり、５色のサブ画素がストライプ配置されている場合に得られたものである。具体的には、５色の場合には、Ｒ/Ｇ成分に対して「０．１２」を掛け、Ｂ／Ｙ成分に対して「０．０７」を掛けることを示している。これは、図６に示したように、Ｒ/Ｇ成分とＢ／Ｙ成分を比較すれば、Ｒ/Ｇ成分の方が視覚フィルタの振幅が大きいことによる。なお、この補正係数は、表示部２３の解像度や観察距離により変化する値である。
【００４８】
図１０（ｃ）は、表示画素の左端に「ＥＧ」、右端に「Ｙ」を配置した場合に想定される、サブ画素の全配置順から求められた彩度加算値Ｃｈ３を示す。詳しくは、図１０（ｃ）は、想定されるサブ画素の配置順に対応する、色成分Ｒ/Ｇ１、Ｂ/Ｙ１、色成分加算値Ｒ/Ｇ２、Ｂ/Ｙ２、彩度Ｃｈ２、及び彩度加算値Ｃｈ３を示している。色成分加算値Ｒ/Ｇ２は、表示画素の端から１番目と２番目に配置することが想定されるサブ画素のＲ/Ｇ１を加算することによって得られ、色成分加算値Ｂ／Ｙ２は、表示画素の端から１番目と２番目に配置することが想定されるサブ画素のＢ/Ｙ１を加算することによって得られる。彩度Ｃｈ２は、色成分加算値Ｒ/Ｇ２、Ｂ/Ｙ２から得られる。この場合、彩度Ｃｈ２は、表示画素の左端から１番目及び２番目のサブ画素（左セット）から計算されるものと、表示画素の右端から１番目及び２番目のサブ画素（右セット）から計算されるものの２つが得られる。そして、彩度加算値Ｃｈ３は、これら２つの彩度Ｃｈ２を加算することによって得られる。
【００４９】
ここで、図１０のような結果が得られた場合に、上記した第１の条件及び第２の条件に基づいてサブ画素の配置位置を決定することを考える。
【００５０】
図１０（ａ）より、「ＥＧ」と「Ｙ」の彩度Ｃｈ１が最も小さいことがわかる。したがって、第１の条件に従うと、「ＥＧ」及び「Ｙ」を表示画素の両端に配置することが決定される。更に、図１０（ｃ）より、「ＥＧ」、「Ｙ」を両端に配置した場合において、「ＥＧ」の隣りに「Ｒ」を配置し、「Ｙ」の隣りに「Ｂ」を配置した場合に、彩度加算値Ｃｈ３が最小となることがわかる。したがって、第２の条件に従うと、表示画素の左端から２番目に「Ｒ」を配置すること、及び表示画素の右端から２番目に「Ｂ」を配置することが決定される。これにより、中央に配置されるサブ画素が「Ｇ」に決まるため、最終的には「ＥＧＲＧＢＹ」の配置順が決定される。
【００５１】
以上より、第１実施形態に係るサブ画素配置方法の実行による結果と、６０個の配置候補に対するサブ画素誤差確認処理によって得られた結果（図９参照）とが同一になることがわかる。即ち、第１の条件及び第２の条件に基づいてサブ画素を配置することによって、エッジ周辺部のｕ＊及びｖ＊色成分差の加算値が少ない配置順を得ることができるといえる。
【００５２】
（サブ画素配置処理）
次に、図１１を用いて、第１実施形態に係るサブ画素配置処理について説明する。
【００５３】
図１１は、サブ画素配置処理を示すフローチャートである。なお、この処理はコンピュータがプログラムを読み出すことによって、又は記録媒体に記録されたプログラムを読み出すことによって実行される。また、この処理は、画像表示装置１００を設計する段階などにおいて実行される。
【００５４】
まず、ステップＳ２０１では、ＲＧＢＥＧＹ各色のＸＹＺを入力する。各色のＸＹＺは、カラーフィルタ２３ｃやバックライトユニット２３ｉの分光特性から決定できる値であり、シミュレーションや実測によって求められる。そして、処理はステップＳ２０２に進む。ステップＳ２０２では、ＸＹＺを輝度−反対色空間へ変換し、Ｌｕｍ、Ｒ/Ｇ、Ｂ/Ｙの各成分として表す。そして、処理はステップＳ２０３に進む。
【００５５】
ステップＳ２０３では、Ｒ/Ｇ、Ｂ/Ｙの各成分を視覚特性に応じて補正する。例えば、図１０（ｂ）に示したように、Ｒ/Ｇ成分に対しては「０．１２」を掛け、Ｂ／Ｙ成分に対しては、「０．０７」を掛ける。これにより、Ｒ/Ｇ１とＢ/Ｙ１が得られる。そして、処理はステップＳ２０４に進む。ステップＳ２０４では、ステップＳ２０３で得られたＲ／Ｇ１とＢ／Ｙ１とから、彩度Ｃｈ１を計算する。そして、処理はステップＳ２０５に進む。
【００５６】
ステップＳ２０５では、ステップＳ２０４で得られた彩度Ｃｈ１に基づいて、表示画素の両端に配置するサブ画素を決定する。この場合、彩度Ｃｈ１が最も小さい２つのサブ画素を、表示画素の両端に配置する。即ち、第１の条件に基づいてサブ画素の配置を行う。図１０で示すような結果が得られた場合には、彩度Ｃｈ１が小さい「ＥＧ」及び「Ｙ」を、表示画素の両端に配置する。以上のステップＳ２０５の処理が終了すると、処理はステップＳ２０６に進む。
【００５７】
ステップＳ２０６では、表示画素の両端から「Ｎ＋１番目」に配置されるサブ画素の全候補において、左端から「Ｎ番目」と「Ｎ＋１番目」のサブ画素から得られる彩度Ｃｈ２と、右端から「Ｎ番目」と「Ｎ＋１番目」のサブ画素から得られる彩度Ｃｈ２と、を加算することによって彩度加算値Ｃｈ３を得る。これにより、例えば、図１０（ｃ）で示すグラフを得る。そして、処理はステップＳ２０７に進む。なお、「Ｎ」は自然数を意味する。
【００５８】
ステップＳ２０７では、彩度加算値Ｃｈ３が最小となるサブ画素の配置を決定する。即ち、第２の条件に基づいてサブ画素の配置を行う。図１０で示すような結果が得られた場合には、左端に配置された「ＥＧ」の隣りに「Ｒ」を配置し、右端に配置された「Ｙ」の隣りに「Ｂ」を配置した場合に、彩度加算値Ｃｈ３が最小となることがわかる。したがって、「ＥＧ」の隣りに「Ｒ」を配置すること、及び「Ｙ」の隣りに「Ｂ」を配置することが決定される。これにより、中央に配置されるサブ画素が「Ｇ」に決まるため、最終的には「ＥＧＲＧＢＹ」の配置順が決定される。以上の処理が終了すると、処理はステップＳ２０８に進む。
【００５９】
ステップＳ２０８では、全てのサブ画素の配置位置が決定されたか否かを判定する。全配置位置が決定されている場合（ステップＳ２０８；Ｙｅｓ）には、処理は当該フローを抜ける。一方、全配置位置が決定されていない場合（ステップＳ２０８；Ｎｏ）には、処理はステップＳ２０６に戻って再度処理を行う。上記したように５つのサブ画素を配置する場合には、ステップＳ２０６〜Ｓ２０８の処理を一度行うのみで、全てのサブ画素の配置位置が決定される。なお、上記では「ＥＧＲＧＢＹ」の配置順が決定される例を示したが、「ＥＧＲＧＢＹ」を逆に配置した「ＹＢＧＲＥＧ」が決定される場合もある。「ＥＧＲＧＢＹ」と「ＹＢＧＲＥＧ」は同一の配置順であるからである。
【００６０】
このように、第１実施形態に係るサブ画素配置処理によれば、視覚特性を十分に考慮した形で、ＲＧＢＥＧＹのサブ画素の並び順を決定することができる。このようにして決定されたサブ画素の配置を画像表示装置１００に対して適用することにより、エッジ周辺部のｕ＊およびｖ＊色成分差の加算値を小さくすることができ、人間が観察した際のエッジの色割れ現象を軽減することができる。これにより、画像表示装置１００は、高品質の画像を表示することが可能となる。
【００６１】
なお、上記では、サブ画素配置処理によって「ＥＧＲＧＢＹ」のサブ画素の配置順が決定される例を示したが、サブ画素配置処理によって常にこの配置順が決定されるとは限らない。この配置順は図１０に示した結果が得られた場合に決定されるものであるため、図１０に示した以外の結果が得られた場合には、この配置順と異なる配置順が決定される可能性もある。
【００６２】
［第２実施形態］
次に、本発明の第２実施形態について説明する。第２実施形態では、色の構成が第１実施形態と異なる。具体的には、第２実施形態は、Ｙｅｌｌｏｗの代わりにＷｈｉｔｅ（以下、単に「Ｗ」と表記する。）を用いる点で、第１実施形態と異なる。即ち、ＲＧＢＥＧＷによって色を構成する。なお、第２実施形態においても、前述した画像表示装置１００と同様の構成を有する画像表示装置を用いるため、その説明を省略する。また、「Ｗｈｉｔｅ」のサブ画素には、着色層ではなく透明樹脂層が配置されている。
【００６３】
図１２は、第２実施形態における表示部２３の表示特性を示した図である。図１２（ａ）は表示部２３で用いられるカラーフィルタ２３ｃの透過特性をＲＧＢＥＧＷ各画素で示した図であり、横軸が波長（ｎｍ）を示し、縦軸が透過率（％）を示している。なお、Ｗｈｉｔｅに対応するカラーフィルタ２３ｃを用いていないため図示していない。図１２（ｂ）は、ＢｌｕｅＬＥＤ及び蛍光体による白色ＬＥＤで構成されたバックライトの発光スペクトルを示しており、横軸が波長（ｎｍ）を示し、縦軸が相対輝度を示している。図１２（ｃ）は、各画素の分光特性をＲＧＢＥＧＷ各画素について示した図である。図１２（ｃ）も、横軸が波長（ｎｍ）を示し、縦軸が相対輝度を示している。図１２（ｄ）は、ＲＧＢＥＧＷ各画素の分光特性をもとに、ｘｙ色度図上にプロットした図を示す。図１２（ｄ）における四角形の内部が表示部２３において再現できる色を示し、この四角形が表示部２３における色再現領域に対応する。また、四角形の頂点が色を構成するＲＧＢＥＧに対応し、四角形の内部に位置する点がＷに対応する。このような色再現領域は、４色における色再現領域と同様であるが、Ｗｈｉｔｅを追加して５色にすることによって、透過率が上昇する。そのため、表示部２３の表面輝度を向上させる効果を得ることできる。
【００６４】
図１３は、ＲＧＢＥＧＷの彩度や彩度加算値を具体的に示した表である。図１３（ａ）は、ＲＧＢＥＧＷ各色に関して、ＸＹＺから求めたＬｕｍ、Ｒ/Ｇ、Ｂ/Ｙ成分、及び彩度Ｃｈを示す。更に、Ｒ/Ｇ、Ｂ／Ｙ各々の成分を、視覚フィルタの特性を反映させた形で補正した後のＲ/Ｇ１、Ｂ／Ｙ１成分と、これらを用いることによって得られる彩度Ｃｈ１と、を示す。図１３（ａ）より、「Ｗ」と「ＥＧ」の彩度Ｃｈ１が最も小さいことがわかる。
【００６５】
図１３（ｂ）は、視覚フィルタを反映させた形で補正する際に用いる補正係数を示す。具体的には、５色の場合には、Ｒ/Ｇ成分に対しては「０．１２」を掛け、Ｂ／Ｙ成分に対しては、「０．０７」を掛けることを示している。なお、この補正係数は、表示部２３の解像度や観察距離により変化する値である。
【００６６】
図１３（ｃ）は、表示画素の左端に「Ｗ」、右端に「ＥＧ」を配置した場合に想定される、サブ画素の全配置順から求められた彩度加算値Ｃｈ３を示す。詳しくは、図１３（ｃ）は、想定されるサブ画素の配置順に対応する、色成分Ｒ/Ｇ１、Ｂ/Ｙ１、色成分加算値Ｒ/Ｇ２、Ｂ/Ｙ２、彩度Ｃｈ２、及び彩度加算値Ｃｈ３を示している。これらは、前述した方法と同様の方法によって計算される（図１０参照）。図１３（ｃ）より、「Ｗ」、「ＥＧ」を両端に配置した場合において、「Ｗ」の隣りに「Ｇ」を配置し、「ＥＧ」の隣りに「Ｒ」を配置した場合に、彩度加算値Ｃｈ３が最小となることがわかる。
【００６７】
次に、第２実施形態に係るサブ画素誤差配置方法について説明する。第２実施形態でも、前述した第１の条件及び第２の条件に従ってサブ画素を配置する。
【００６８】
図１４は、ＲＧＢＷのサブ画素に対するサブ画素配置処理を示すフローチャートである。なお、この処理はコンピュータがプログラムを読み出すことによって、又は記録媒体に記録されたプログラムを読み出すことによって実行される。また、この処理は、画像表示装置１００を設計する段階などに実行される。
【００６９】
まず、ステップＳ３０１では、ＲＧＢＥＧＷ各色のＸＹＺを入力する。各色のＸＹＺは、カラーフィルタ２３ｃやバックライトユニット２３ｉの分光特性から決定できる値であり、シミュレーションや実測によって求められる。そして、処理はステップＳ３０２に進む。ステップＳ３０２では、ＸＹＺを輝度−反対色空間へ変換し、Ｌｕｍ、Ｒ/Ｇ、Ｂ/Ｙの各成分として表す。そして、処理はステップＳ３０３に進む。
【００７０】
ステップＳ３０３では、Ｒ/Ｇ、Ｂ/Ｙの各成分を視覚特性に応じて補正する。例えば、図１３（ｂ）に示したように、Ｒ/Ｇ成分に対しては「０．１２」を掛け、Ｂ／Ｙ成分に対しては、「０．０７」を掛ける。これにより、Ｒ/Ｇ１とＢ/Ｙ１が得られる。そして、処理はステップＳ３０４に進む。ステップＳ３０４では、ステップＳ３０３で得られたＲ／Ｇ１とＢ／Ｙ１とから、彩度Ｃｈ１を計算する。そして、処理はステップＳ３０５に進む。
【００７１】
ステップＳ３０５では、ステップＳ３０４で得られた彩度Ｃｈ１に基づいて、表示画素の両端に配置するサブ画素を決定する。この場合、彩度Ｃｈ１が最も小さい２つのサブ画素を、表示画素の両端に配置する。即ち、第１の条件に基づいてサブ画素の配置を行う。図１３で示すような結果が得られた場合には、彩度Ｃｈ１が小さい「Ｗ」及び「ＥＧ」を、表示画素の両端に配置する。以上のステップＳ３０５の処理が終了すると、処理はステップＳ３０６に進む。
【００７２】
ステップＳ３０６では、表示画素の両端から「Ｎ＋１番目」に配置されるサブ画素の全候補において、左端から「Ｎ番目」と「Ｎ＋１番目」のサブ画素から得られる彩度Ｃｈ２と、右端から「Ｎ番目」と「Ｎ＋１番目」のサブ画素から得られる彩度Ｃｈ２と、を加算することによって彩度加算値Ｃｈ３を得る。これにより、例えば、図１３（ｃ）で示すグラフを得る。そして、処理はステップＳ３０７に進む。なお、「Ｎ」は自然数を意味する。
【００７３】
ステップＳ３０７では、彩度加算値Ｃｈ３が最小となるサブ画素の配置を決定する。即ち、第２の条件に基づいてサブ画素の配置を行う。図１３で示すような結果が得られた場合には、左端に配置された「Ｗ」の隣りに「Ｇ」を配置し、右端に配置された「ＥＧ」の隣りに「Ｒ」を配置した場合に、彩度加算値Ｃｈ３が最小となることがわかる。したがって、「Ｗ」の隣りに「Ｇ」を配置すること、及び「ＥＧ」の隣りに「Ｒ」を配置することが決定される。これにより、中央に配置されるサブ画素が「Ｂ」に決まるため、最終的には「ＷＧＢＲＥＧ」の配置順が決定される。以上の処理が終了すると、処理はステップＳ３０８に進む。
【００７４】
ステップＳ３０８では、全てのサブ画素の配置位置が決定されたか否かを判定する。全配置位置が決定されている場合（ステップＳ３０８；Ｙｅｓ）には、処理は当該フローを抜ける。一方、全配置位置が決定されていない場合（ステップＳ３０８；Ｎｏ）には、処理はステップＳ３０６に戻って再度処理を行う。上記したように５つのサブ画素を配置する場合には、ステップＳ３０６〜Ｓ３０８の処理を一度行うのみで、全てのサブ画素の配置位置が決定される。なお、上記では「ＷＧＢＲＥＧ」の配置順が決定される例を示したが、「ＷＧＢＲＥＧ」を逆に配置した「ＥＧＲＢＧＷ」が決定される場合もある。「ＷＧＢＲＥＧ」と「ＥＧＲＢＧＷ」は同一の配置順であるからである。
【００７５】
ここで、上記のサブ画素配置処理の結果と、５色ＲＧＢＥＧＷの各画素の配置候補に対してサブ画素誤差確認処理を行ったときの結果とを比較する。
【００７６】
図１５は、５色ＲＧＢＥＧＷの配置候補を全て示している。なお、ＲＧＢＥＧＷにおける組み合わせの数は「５×４×３×２×１＝１２０個」であるが、左右の対称性を考慮すれば、配置候補の数はこの半分の６０個となる。
【００７７】
図１６は、図１５に示した６０個の配置候補に対して、サブ画素誤差確認処理を行ったときの結果を示している。図１６に示すグラフは、横軸に黒白パターンに対応する画像位置を示し、縦軸にｕ＊及びｖ＊色成分の値を示している。また、それぞれのグラフは、Original画像とReproduction画像とを重ねて表示している。これらのグラフにより、「ＥＧＲＢＧＷ」の配置順にした場合（図１６において太線で囲んだグラフ）に、エッジ周辺部のｕ＊及びｖ＊色成分差が比較的小さいという結果が得られる。これより、第２実施形態に係るサブ画素配置処理の実行による結果と、６０個の配置候補に対するサブ画素誤差確認処理によって得られた結果（図１６参照）とが同一になることがわかる。即ち、第１の条件及び第２の条件に基づいてサブ画素を配置することによって、誤差が少ない配置順を得ることができるといえる。
【００７８】
このように、第２実施形態に係るサブ画素配置処理によれば、視覚特性を十分に考慮した形で、ＲＧＢＥＧＷのサブ画素の配置を決定することができる。このようにして決定されたサブ画素の配置を画像表示装置１００に対して適用することにより、エッジ周辺部のｕ＊およびｖ＊色成分差の加算値を小さくすることができ、人間が観察した際のエッジの色割れ現象を軽減することができる。これにより、画像表示装置１００は、高品質の画像を表示することが可能となる。
【００７９】
なお、上記では、サブ画素配置処理によって「ＷＧＢＲＥＧ」のサブ画素の配置順が決定される例を示したが、サブ画素配置処理によって常にこの配置順が決定されるとは限らない。この配置順は図１３に示した結果が得られた場合に決定されるものであるため、図１３に示した以外の結果が得られた場合には、この配置順と異なる配置順が決定される可能性もある。
【００８０】
［第３実施形態］
次に、本発明の第３実施形態について説明する。第３実施形態では、色の構成が第１実施形態及び第２実施形態と異なる。具体的には、第３実施形態は、ＲＧＢＥＧＹＷの６つの色によって色を構成する。なお、第３実施形態においても、前述した画像表示装置１００と概ね同様の構成を有する画像表示装置を用いるため、その説明を省略する。この場合、データ線駆動回路２１は、３８４０本のデータ線に対してデータ線駆動信号を供給する点で、第１実施形態及び第２実施形態と異なる。
【００８１】
図１７は、第３実施形態における表示部２３の表示特性を示した図である。図１７（ａ）は表示部２３で用いられるカラーフィルタ２３ｃの透過特性をＲＧＢＥＧＹＷ各画素で示した図であり、横軸が波長（ｎｍ）を示し、縦軸が透過率（％）を示している。なお、Ｗｈｉｔｅに対応するカラーフィルタ２３ｃを用いていないため図示していない。図１７（ｂ）は、ＢｌｕｅＬＥＤ及び蛍光体による白色ＬＥＤで構成されたバックライトの発光スペクトルを示しており、横軸が波長（ｎｍ）を示し、縦軸が相対輝度を示している。図１７（ｃ）は、各画素の分光特性をＲＧＢＥＧＹＷ各画素について示した図である。図１７（ｃ）も、横軸が波長（ｎｍ）を示し、縦軸が相対輝度を示している。図１７（ｄ）は、ＲＧＢＥＧＹＷ各画素の分光特性をもとに、ｘｙ色度図上にプロットした図を示す。図１７（ｄ）における五角形の内部が表示部２３において再現できる色を示し、この五角形が表示部２３における色再現領域に対応する。また、五角形の頂点が色を構成するＲＧＢＥＧＹに対応し、五角形の内部に位置する点がＷに対応する。
【００８２】
次に、第３実施形態に係るサブ画素配置方法について説明する。第３実施形態でも、基本的には、前述した第１の条件及び第２の条件に従ってサブ画素を配置する。第３実施形態では、第１の条件及び第２の条件に従うことにより、以下のような手順でサブ画素の配置位置が決定される。
【００８３】
まず、ＲＧＢＥＧＹＷにおいて最も彩度が小さい２つのサブ画素を、表示画素の両端に配置する（以下、この配置を「１回目配置」と呼ぶ）。１回目配置は、第１の条件に従った配置である。
【００８４】
次に、表示画素の端に配置したサブ画素（１回目配置によって決定済み）、及び端から２番目に配置するサブ画素の候補から彩度加算値Ｃｈ３を計算し、この彩度加算値Ｃｈ３が最も小さくなるサブ画素を、表示画素の端から２番目に配置すべきサブ画素として決定する（以下、この配置を「２回目配置」と呼ぶ）。２回目配置は、第２の条件に従った配置である。
【００８５】
この次に、表示画素の端に配置したサブ画素（１回目配置によって決定済み）、端から２番目に配置したサブ画素（２回目配置によって決定済み）、及び端から３番目に配置するサブ画素の候補から彩度加算値Ｃｈ３を計算し、この彩度加算値Ｃｈ３が最も小さくなるサブ画素を、表示画素の端から３番目に配置すべきサブ画素として決定する（以下、この配置を「３回目配置」と呼ぶ）。３回目配置は、第２の条件に従った配置である。
【００８６】
図１８は、ＲＧＢＥＧＹＷの彩度や彩度加算値などを具体的に示した表である。図１８（ａ）は、ＲＧＢＥＧＹＷ各色に関して、ＸＹＺから求めたＬｕｍ、Ｒ/Ｇ、Ｂ/Ｙ成分、及び彩度Ｃｈを示す。また、Ｒ/Ｇ、Ｂ／Ｙ各々の成分を、視覚フィルタの特性を反映させた形で補正した後のＲ/Ｇ１、Ｂ／Ｙ１成分と、これらを用いることによって得られる彩度Ｃｈ１と、を示す。図１８（ａ）より、「ＥＧ」と「Ｗ」の彩度Ｃｈ１が最も小さいことがわかる。
【００８７】
図１８（ｂ）は、視覚フィルタを反映させた形で補正する際に用いる補正係数を示す。具体的には、６色の場合には、Ｒ/Ｇ成分に対しては「０．１０」を掛け、Ｂ／Ｙ成分に対しては、「０．０６」を掛けることを示している。なお、この補正係数は、表示部２３の解像度や観察距離により変化する値である。
【００８８】
図１８（ｃ）は、表示画素の左端に「ＥＧ」、右端に「Ｗ」を配置した場合に想定される、サブ画素の全配置順から求められた彩度加算値Ｃｈ３を示す。詳しくは、図１８（ｃ）は、想定されるサブ画素の配置順に対応する、色成分Ｒ/Ｇ１、Ｂ/Ｙ１、色成分加算値Ｒ/Ｇ２、Ｂ/Ｙ２、彩度Ｃｈ２、及び彩度加算値Ｃｈ３を示している。これらは、前述した方法と同様の方法によって計算される（図１０参照）。図１８（ｃ）より、「ＥＧ」、「Ｗ」を両端に配置した場合において、「ＥＧ」の右隣りに「Ｒ」を配置し、「Ｗ」の左隣りに「Ｙ」を配置した場合に、彩度加算値Ｃｈ３が最小となることがわかる。
【００８９】
図１８（ｄ）は、表示画素の左端から順に「ＥＧ」、「Ｒ」を配置し、右端から順に「Ｗ」、「Ｙ」を配置した場合に想定される、サブ画素の全配置順から求められた彩度加算値Ｃｈ３を示す。詳しくは、図１８（ｄ）は、色成分Ｒ/Ｇ１、Ｂ/Ｙ１、色成分加算値Ｒ/Ｇ２、Ｂ/Ｙ２、彩度Ｃｈ２、及び彩度加算値Ｃｈ３を示している。色成分加算値Ｒ/Ｇ２は、表示画素の端から１番目、２番目、及び３番目に配置することが想定されるサブ画素のＲ/Ｇ１を加算することによって得られ、色成分加算値Ｂ／Ｙ２は、表示画素の端から１番目、２番目、及び３番目に配置することが想定されるサブ画素のＢ/Ｙ１を加算することによって得られる。彩度Ｃｈ２は、これらの色成分加算値Ｒ/Ｇ２、Ｂ/Ｙ２から得られる。この場合、彩度Ｃｈ２は、表示画素の左端から１番目、２番目、及び３番目のサブ画素（左セット）から計算されるものと、表示画素の右端から１番目、２番目、及び３番目のサブ画素（右セット）から計算されるものの２つが得られる。そして、彩度加算値Ｃｈ３は、これら２つの彩度Ｃｈ２を加算することによって得られる。図１８（ｄ）より、表示画素の左端から順に「ＥＧ」、「Ｒ」と配置した場合の「Ｒ」の右隣りに「Ｂ」を配置し、表示画素の右端から順に「Ｗ」、「Ｙ」と配置した場合の「Ｙ」の左隣りに「Ｇ」を配置した場合に、彩度加算値Ｃｈ３が最小となることがわかる。
【００９０】
次に、第３実施形態に係るサブ画素誤差配置方法について説明する。第３実施形態でも、前述した第１の条件及び第２の条件に従ってサブ画素を配置する。
【００９１】
図１９は、ＲＧＢＥＧＹＷのサブ画素に対するサブ画素配置処理を示すフローチャートである。なお、この処理はコンピュータがプログラムを読み出すことによって、又は記録媒体に記録されたプログラムを読み出すことによって実行される。また、この処理は、画像表示装置１００を設計する段階などに実行される。
【００９２】
まず、ステップＳ４０１では、ＲＧＢＥＧＹＷ各色のＸＹＺを入力する。各色のＸＹＺは、カラーフィルタ２３ｃやバックライトユニット２３ｉの分光特性から決定できる値であり、シミュレーションや実測によって求められる。そして、処理はステップＳ４０２に進む。ステップＳ４０２では、ＸＹＺを輝度−反対色空間へ変換し、Ｌｕｍ、Ｒ/Ｇ、Ｂ/Ｙの各成分として表す。そして、処理はステップＳ４０３に進む。
【００９３】
ステップＳ４０３では、Ｒ/Ｇ、Ｂ/Ｙの各成分を視覚特性に応じて補正する。例えば、図１８（ｂ）に示したように、Ｒ/Ｇ成分に対しては「０．１０」を掛け、Ｂ／Ｙ成分に対しては、「０．０６」を掛ける。これにより、Ｒ/Ｇ１とＢ/Ｙ１が得られる。そして、処理はステップＳ４０４に進む。ステップＳ４０４では、ステップＳ４０３で得られたＲ／Ｇ１とＢ／Ｙ１とから、彩度Ｃｈ１を計算する。そして、処理はステップＳ４０５に進む。
【００９４】
ステップＳ４０５では、ステップＳ４０４で得られた彩度Ｃｈ１に基づいて、表示画素の両端に配置するサブ画素を決定する。この場合、彩度Ｃｈ１が最も小さい２つのサブ画素を、表示画素の両端に配置する。即ち、第１の条件に基づいた一回目配置を行う。図１８で示すような結果が得られた場合には、彩度Ｃｈ１が小さい「ＥＧ」及び「Ｗ」を、表示画素の両端に配置する。これにより、「ＥＧ＊＊＊＊Ｗ」の配置順が決定される（「＊」は、配置されるサブ画素が未決定であることを示している）。以上のステップＳ４０５の処理が終了すると、処理はステップＳ４０６に進む。
【００９５】
ステップＳ４０６では、表示画素の両端から「Ｎ＋１番目」に配置されるサブ画素の全候補において、左端から「Ｎ番目」と「Ｎ＋１番目」のサブ画素から得られる彩度Ｃｈ２と、右端から「Ｎ番目」と「Ｎ＋１番目」のサブ画素から得られる彩度Ｃｈ２と、を加算することによって彩度加算値Ｃｈ３を得る。これにより、例えば、図１８（ｃ）で示すグラフを得る。そして、処理はステップＳ４０７に進む。なお、「Ｎ」は自然数を意味する。
【００９６】
ステップＳ４０７では、彩度加算値Ｃｈ３が最小となるサブ画素の配置を決定する。即ち、第２の条件に基づいた２回目配置を行う。図１８（ｃ）で示すような結果が得られた場合には、左端に配置された「ＥＧ」の隣りに「Ｒ」を配置し、右端に配置された「Ｗ」の隣りに「Ｙ」を配置した場合に、彩度加算値Ｃｈ３が最小となることがわかる。したがって、「ＥＧ」の隣りに「Ｒ」を配置すること、及び「Ｗ」の隣りに「Ｙ」を配置することが決定される。これにより、「ＥＧＲ＊＊ＹＷ」の配置順が決定される。以上の処理が終了すると、処理はステップＳ４０８に進む。
【００９７】
ステップＳ４０８では、全てのサブ画素の配置位置が決定されたか否かを判定する。全配置位置が決定されている場合（ステップＳ４０８；Ｙｅｓ）には、処理は当該フローを抜ける。一方、全配置位置が決定されていない場合（ステップＳ４０８；Ｎｏ）には、処理はステップＳ４０６に戻る。即ち、サブ画素の配置を再度行う。上記したように６つのサブ画素を配置する場合には、ステップＳ４０６〜Ｓ４０８の処理を一度行うのみで、４つのサブ画素の配置位置が決定されるだけで、６つ全てのサブ画素の配置位置は決定されない。即ち、１回目配置及び２回目配置のみが行われ、３回目配置が行われないこととなる。よって、ステップＳ４０８の処理の終了後、ステップＳ４０６〜Ｓ４０８の処理を再度行う。
【００９８】
ここで、ステップＳ４０６〜Ｓ４０８の処理を再度行うことによって実行される、３回目配置について説明する。ステップＳ４０６では、表示画素の両端から「Ｎ＋１番目」に配置されるサブ画素の全候補において、左端から「Ｎ番目」と「Ｎ＋１番目」のサブ画素から得られる彩度Ｃｈ２と、右端から「Ｎ番目」と「Ｎ＋１番目」のサブ画素から得られる彩度Ｃｈ２と、を加算することによって彩度加算値Ｃｈ３を得る。これにより、例えば、図１８（ｄ）で示すグラフを得る。そして、処理はステップＳ４０７に進む。
【００９９】
ステップＳ４０７では、彩度加算値Ｃｈ３が最小となるサブ画素の配置を決定する。即ち、第２の条件に基づいた３回目配置を行う。図１８（ｄ）で示すような結果が得られた場合には、表示画素の左端から順に「ＥＧ」、「Ｒ」、及び「Ｂ」を配置し、右端から順に「Ｗ」、「Ｙ」、「Ｇ」を配置を配置した場合に、彩度加算値Ｃｈ３が最小となることがわかる。これにより、「ＥＧＲＢＧＹＷ」の配置順が決定される。以上の処理が終了すると、処理はステップＳ４０８に進む。ステップＳ４０８では、全配置位置が決定されていると判定されるため（ステップＳ４０８；Ｙｅｓ）、処理は当該フローを抜ける。なお、上記では「ＥＧＲＢＧＹＷ」の配置順が決定される例を示したが、「ＥＧＲＢＧＹＷ」を逆に配置した「ＷＹＧＢＲＥＧ」が決定される場合もある。
【０１００】
このように、第３実施形態に係るサブ画素配置処理によれば、視覚特性を十分に考慮した形で、ＲＧＢＥＧＹＷのサブ画素の配置を決定することができる。このようにして決定されたサブ画素の配置を画像表示装置１００に対して適用することにより、エッジ周辺部のｕ＊およびｖ＊色成分差の加算値を小さくすることができ、人間が観察した際のエッジの色割れ現象を軽減することができる。これにより、画像表示装置１００は、高品質の画像を表示することが可能となる。
【０１０１】
なお、上記では、サブ画素配置処理によって「ＥＧＲＢＧＹＷ」のサブ画素の配置が決定される例を示したが、サブ画素配置処理によって常にこの配置順が決定されるとは限らない。この配置順は図１８に示した結果が得られた場合に決定されるものであるため、図１８に示した以外の結果が得られた場合には、この配置順と異なる配置順が決定される可能性もある。
【０１０２】
［第４実施形態］
次に、本発明の第４実施形態について説明する。前述した第１実施形態乃至第３実施形態では、表示部２３における表示画素の配置がストライプ配置であったのに対して、第４実施形態では、表示部における表示画素の配置（以下、「表示画素配置」とも呼ぶ。）をストライプ配置から変更する。
【０１０３】
図２０は、第４実施形態に係る画像表示装置１０１の概略構成を示すブロック図である。この画像表示装置１０１は、第１実施形態に係る画像表示装置１００（図１参照）とは、入力信号に対するリサンプル回路１１ａが追加されていること、データ線駆動回路２１の出力数が異なることが相違点となる。よって、同一の構成要素及び信号に対しては、同一の符号を付し、その説明を省略する。
【０１０４】
リサンプル回路１１ａは、表示部２３ｚの表示画素の配置に一致させるため、横方向の個数を変更する。例えば、リサンプル回路１１ａは、入力されるデジタル信号に対してＤ／Ａ変換器で一旦アナログ信号に変換後、時間軸上で再サンプルを行うことによって、上記の変更を行う。他の例では、リサンプル回路１１ａは、デジタル信号のままリサイズを行うことによって、上記の変更を行う。
【０１０５】
データ線駆動回路２１は、１６００本のデータ線に対してデータ線駆動信号Ｘ１〜Ｘ１６００を供給する。なお、データ線駆動回路２１の出力数に関しては、図２２において説明する。
【０１０６】
ここで、第４実施形態における画素配置について説明する前に、３色を用いた場合において表示画素配置をストライプ配置から変更する場合を例に挙げて説明する。
【０１０７】
図２１は、３色ＲＧＢにおいて表示画素配置を変更する例を説明するための図である。図２１（ａ）において、黒小丸の格子状の点１８０が、入力データの存在する点に対応する。例えば、ＶＧＡサイズの場合には、この点１８０は「縦４８０個×横６４０個」存在する。また、図２１（ａ）中の矢印はデータ線駆動信号及び走査線駆動信号の入力を示しており、白丸の点１８１は変更後のデータの存在する点（以下、「サンプル点」とも呼ぶ）を示している。
【０１０８】
上記したリサンプル回路１１ａは、表示部２３ｚの表示画素配置に一致させるため、横方向の個数を変更する。この場合、点１８１の間隔Ａ１１（言い換えると、表示画素の横の長さ）を２倍にし、表示画素の個数を半分に変更している。詳しくは、表示画素の縦の長さＡ１２を「１．０」とすると、表示画素の横の長さＡ１１は「Ａ１１＝Ａ１２×２＝２．０」となる。また、横１ラインが縦方向に下がるごとに、サンプル点を半ピッチ（Ａ１１／２）ずらしている。このようにサンプル点を半ピッチずらすことによって、横方向の個数を少なくしても、比較的劣化が少なく画像表示を行うことが可能となる。
【０１０９】
次に、図２１（ｂ）を用いて、３色における表示画素配置について具体的に説明する。この場合、表示画素は３つのサブ画素を一組として構成し、横方向の間隔Ａ１１が「２．０」であるので、サブ画素の横の長さは「Ｂ１１＝Ａ１１／３＝０．６６７」となる（図２１（ｂ）の右図参照）。また、図２１（ｂ）の左図より、縦方向でみると表示画素として半ピッチ（Ａ１１／２）ずれているため、同一のサブ画素は「Ａ１１／２」ずれて配置されている。更に、サブ画素単位としてみれば「Ｂ１１／２」ずれている。３色を用いた表示部２３ｚにおいては、２ラインにまたがって３色の一組をみると、逆三角形の頂点位置に３色が配置されているため、符号１８５で示すようにデルタ配置が形成されている。なお、リサンプル回路１１ａの出力をデータ制御回路（不図示）が受け、データ線と走査線のタイミング調整を行ってデータ線駆動回路２１と走査線駆動回路２２を適宜制御することにより、画像表示装置１０１は、このような表示画素配置に対して適切に表示を行うことが可能となる。
【０１１０】
ここで、第４実施形態に係る表示画素配置について、図２２乃至図２４を用いて具体的に説明する。
【０１１１】
図２２は、第４実施形態の第１の例に係る表示画素配置を説明するための図である。図２２（ａ）に示すように、リサンプルの条件は図２１と同様である。即ち、表示画素の縦の長さＡ１２を「１．０」とすると、表示画素の横の長さＡ２１は「Ａ２１＝Ａ１２×２＝２．０」である。この場合、リサンプル回路１１ａの入力および出力は３色信号であり、表示部２３ｚが５色であるため、色変換回路１２において３色から５色への色変換が行われる。図２２（ｂ）は、表示画素配置を示している。図２２（ｂ）の右図より、サブ画素の横の長さＢ２１は「Ｂ２１＝Ａ２１/５＝０．４」となる。また、図２２（ｂ）の左図より、縦方向でみると、表示画素として半ピッチ（Ａ２１／２）ずれているため、同一のサブ画素は「Ａ２１／２」ずれて配置されている。
【０１１２】
図２２に示す表示画素配置を有する表示部２３ｚにおいて、入力データがＶＧＡの場合には、リサンプル後の表示画素の数は「縦４８０個×横３２０個」となる。この場合、横方向のサブ画素の個数としては、「３２０×５＝１６００個」となる。上記の図２０には、図２２に示す表示画素配置を有する表示部２３ｚを適用した画像表示装置１０１を示している。そのため、データ線駆動回路２１は、１６００本のデータ線に対してデータ線駆動信号Ｘ１〜Ｘ１６００を供給している。一方、ストライプ配置を有する画像表示装置１００（図１参照）では、データ線駆動回路２１から表示部２３ｚへの出力は「６４０×５＝３２００個」である。以上より、第１の例に係る表示画素配置を適用することによって、同じ入力においてもデータ線駆動回路２１からの出力を減らすことが可能であるため、画像表示装置１０１を低コスト化することが可能となる。
【０１１３】
図２３は、第４実施形態の第２の例に係る表示画素配置を説明するための図である。図２３（ａ）に示すように、表示画素の縦の長さＡ１２を「１．０」とすると、表示画素の横の長さＡ３１は「Ａ３１＝Ａ１２×１．５＝１．５」である。図２３（ｂ）は、表示画素配置を示している。この場合、サブ画素の横の長さＢ３１は「Ｂ３１＝Ａ３１/５＝０．３」となる。また、縦方向でみると、表示画素として半ピッチ（Ａ３１／２）ずれているため、同一のサブ画素は「Ａ３１／２」ずれて配置されている。第２の例に係る表示画素配置を適用した場合にも、同じ入力においてもデータ線駆動回路２１からの出力を減らすことが可能であるため、画像表示装置１０１を低コスト化することが可能となる。
【０１１４】
図２４は、第４実施形態の第３の例に係る表示画素配置を説明するための図である。図２４（ａ）に示すように、表示画素の縦の長さＡ１２を「１．０」とすると、表示画素の横の長さＡ４１は「Ａ４１＝Ａ１２×１＝１．０」である。図２４（ｂ）は、表示画素配置を示している。この場合、サブ画素の横の長さＢ４１は「Ｂ４１＝Ａ４１/５＝０．２」となる。また、縦方向でみると、表示画素として半ピッチ（Ａ４１／２）ずれているため、同一のサブ画素は「Ａ４１／２」ずれて配置されている。第３の例に係る表示画素配置を適用した場合には、データ線駆動回路２１からの出力の数はストライプ配置を採用する場合（図２参照）と比較して減少しないが、表示画素が半ピッチずれることによって、見かけ上、横方向の解像度が向上する。
【０１１５】
なお、上記では、５色を用いて表示画素を構成した場合の表示画素配置の例を示したが、６色を用いて表示画素を構成した場合にも同様の表示画素配置を行うことができる。また、上記の第１の例〜第３の例に係る表示画素配置を行った場合において、表示画素を構成するサブ画素の配置は、前述した第１実施形態乃至第３実施形態に係るサブ画素配置処理のうちのいずれかによって決定されたサブ画素の配置順を適用することができる。即ち、表示画素を半ピッチずらして配置する場合においても、視覚特性を十分に考慮した形で、ＲＧＢＥＧＹ、ＲＧＢＥＧＷ及びＲＧＢＹＷのサブ画素の配置順を決定することができる。具体的には、ＲＧＢＥＧＹの５色を用いる場合には、第１実施形態に係るサブ画素配置処理によって決定された配置順を適用し、ＲＧＢＥＧＷの５色を用いる場合には、第２実施形態に係るサブ画素配置処理によって決定された配置を適用し、ＲＧＢＥＧＹＷの６色を用いる場合には、第３実施形態に係るサブ画素配置処理によって決定された配置を適用する。
【０１１６】
上記のように、第１実施形態乃至第３実施形態に係るサブ画素配置処理を適用することができる理由は以下の通りである。第４実施形態に係る画像表示装置１０１は、リサンプル回路１１ａを有しているが、リサンプル回路１１ａの入出力は３色であるため、５色又は６色への直接的な影響は少ない。そのため、画像表示装置１０１は、例えば４色として黒白パターンを表示する場合には、第１実施形態及び第２実施形態に係る画像表示装置１００の動作と全く同じ状態となる。一方、第４実施形態においては、サブ画素単位での横の長さが異なるため、視覚特性を反映したフィルタ特性が若干異なるが、誤差の大小関係はほぼそのまま保存されると考えられる。以上より、第１実施形態乃至第３実施形態に係るサブ画素配置処理によって決定されたサブ画素の配置順を、第４実施形態に係る表示画素配置を行った場合にも適用することができる。
【０１１７】
このように、第４実施形態によれば、表示画素を半ピッチずらして配置しても、表示画像におけるエッジ周辺部のｕ＊およびｖ＊色成分差の加算値を小さくすることができ、エッジの色割れ現象を軽減することができる。また、低コスト化した画像表示装置や、見かけ上解像度を向上させた画像表示装置に対しても、このようなエッジの色割れ現象などを軽減することができる。
【０１１８】
なお、上記では、表示画素の横の長さ（表示画素の間隔）を「Ａ２１＝２．０」、「Ａ３１＝１．５」、「Ａ４１＝１．０」にして表示画素配置を変更する例を示したが、本発明は、これら以外の長さに表示画素を設定して表示画素配置を変更した場合にも適用することができる。
【０１１９】
［変形例］
本発明は、５色としてＲＧＢＥＧＹやＲＧＢＥＧＷ以外の他の構成を用いる場合や、６色としてＲＧＢＥＧＹＷ以外の他の構成を用いる場合にも適用することができる。また、本発明は、５色や６色に適用は限定されず、４色や７色以上を用いた場合にも適用することができる。
【０１２０】
更に、上記ではＢｌｕｅ ＬＥＤに蛍光体を組み合わせた白色ＬＥＤバックライトを示したが、本発明は、バックライトが他の構成を有する場合にも適用することができる。例えば、ＲＧＢ３色 ＬＥＤバックライトなどに対しても適用することができる。
【０１２１】
更に、本発明は、液晶（ＬＣＤ）を用いた画像表示装置に対する適用に限定はされず、有機ＥＬ表示装置（ＯＬＥＤ）、プラズマ表示装置（ＰＤＰ）、ブラウン管表示装置（ＣＲＴ）、電界放出表示装置（ＦＥＤ）などの平面表示を行う画像表示装置に対して適用することができる。また、本発明は、透過型液晶表示装置だけでなく、反射型や半透過反射型の画像表示装置に対しても適用可能である。
【０１２２】
なお、本発明は、上記した実施形態において示した「緑（Ｇｒｅｅｎ）」を、「黄緑（Ｙｅｌｌｏｗ Ｇｒｅｅｎ）」に置き換えた場合にも適用することができる。
【０１２３】
［電子機器］
次に、本発明の画像表示装置１００、１０１を適用した電子機器の例について説明する。図２５は、本発明を適用した電子機器の全体構成を示す概略構成図である。ここに示す電子機器は、画像表示部としての液晶表示装置７００と、これを制御する制御手段４１０とを有する。本発明の画像表示装置１００、１０１は液晶表示装置７００内に設けることができる。ここでは、液晶表示装置７００を、パネル構造体４０３と、半導体ＩＣなどで構成される駆動回路４０２とに概念的に分けて描いてある。制御手段４１０は、表示情報出力源４１１と、表示情報処理回路４１２と、電源回路（電源装置）４１３と、タイミングジェネレータ４１４と、を有する。
【０１２４】
表示情報出力源４１１は、ＲＯＭ（Read Only Memory）やＲＡＭ（Random Access Memory）などからなるメモリと、磁気記録ディスクや光記録ディスクなどからなるストレージユニットと、デジタル画像信号を同調出力する同調回路とを備え、タイミングジェネレータ４１４によって生成された各種のクロック信号に基づいて、所定フォーマットの画像信号などの形で表示情報を表示情報処理回路４１２に供給するように構成されている。
【０１２５】
表示情報処理回路４１２は、シリアル−パラレル変換回路、増幅・反転回路、ローテーション回路、ガンマ補正回路、クランプ回路などの周知の各種回路を備え、入力した表示情報の処理を実行して、その画像情報をクロック信号ＣＬＫとともに駆動回路４０２へ供給する。駆動回路４０２は、走査線駆動回路、データ線駆動回路及び検査回路を含む。また、電源回路４１３は、上述の各構成要素にそれぞれ所定の電圧を供給する。
【０１２６】
次に、本発明を適用した電子機器の具体例について図２６を参照して説明する。
【０１２７】
まず、本発明に係る画像表示装置１００、１０１を、可搬型のパーソナルコンピュータ（いわゆるノート型パソコン）に適用した例について説明する。図２６（ａ）は、このパーソナルコンピュータの構成を示す斜視図である。同図に示すように、パーソナルコンピュータ７１０は、キーボード７１１を備えた本体部７１２と、本発明に係る画像表示装置１００、１０１を適用した表示部７１３とを備えている。
【０１２８】
続いて、本発明に係る画像表示装置１００、１０１を携帯電話機に適用した例について説明する。図２６（ｂ）は、この携帯電話機の構成を示す斜視図である。同図に示すように、携帯電話機７２０は、複数の操作ボタン７２１のほか、受話口７２２、送話口７２３と、液晶表示装置を使用した表示部７２４を備える。
【０１２９】
なお、本発明に係る画像表示装置１００、１０１を適用可能な電子機器としては他にも、液晶テレビ、テレビ電話などが挙げられる。
【０１３０】
［他の実施例］
上記の説明では、複数の色（着色領域）として例えばＲ，Ｇ，Ｂ，ＥＧ，Ｙを挙げて説明したが、本発明の適用はこれには限定されず、他の着色領域により１つの表示画素を構成することもできる。
【０１３１】
この場合、複数の着色領域は、波長に応じて色相が変化する可視光領域（３８０〜７８０ｎｍ）のうち、Ｂに代えて青系の色相の着色領域（「第１着色領域」とも呼ぶ。）、Ｒに代えて赤系の色相の着色領域（「第２着色領域」とも呼ぶ。）と、Ｇ又はＥＧに代えて青から黄までの色相の中で選択された２種の色相の着色領域（「第３着色領域」、「第４着色領域」とも呼ぶ。）を含む。ここで「系」との語を用いているが、例えば青系であれば純粋の青の色相に限定されるものでなく、青紫や青緑等を含むものである。赤系の色相であれば、赤に限定されるものでなく橙を含む。また、これら着色領域は単一の着色層で構成されても良いし、複数の異なる色相の着色層を重ねて構成されても良い。また、これら着色領域は色相で述べているが、当該色相は、彩度、明度を適宜変更し、色を設定し得るものである。
【０１３２】
具体的な色相の範囲は、
・青系の色相の着色領域は、青紫から青緑であり、より好ましくは藍から青である。
・赤系の色相の着色領域は、橙から赤である。
・青から黄までの色相で選択される一方の着色領域は、青から緑であり、より好ましくは青緑から緑である。
・青から黄までの色相で選択される他方の着色領域は、緑から橙であり、より好ましくは緑から黄である。もしくは緑から黄緑である。
【０１３３】
ここで、各着色領域は、同じ色相を用いることはない。例えば、青から黄までの色相で選択される２つの着色領域で緑系の色相を用いる場合は、他方は一方の緑に対して青系もしくは黄緑系の色相を用いる。
【０１３４】
これにより、従来のＲＧＢの着色領域よりも広範囲の色再現性を実現することができる。
【０１３５】
また、上記では広範囲の色再現性を色相で述べたが、他の具体的な例として、以下に、着色領域を透過した光の波長で表現すると以下のようになる。
・青系の着色領域は、該領域を透過した光の波長のピークが４１５〜５００ｎｍにある着色領域、好ましくは、４３５〜４８５ｎｍにある着色領域である。
・赤系の着色領域は、該領域を透過した光の波長のピークが６００ｎｍ以上にある着色領域で、好ましくは、６０５ｎｍ以上にある着色領域である。
・青から黄までの色相で選択される一方の着色領域は、該領域を透過した光の波長のピークが４８５〜５３５ｎｍにある着色領域で、好ましくは、４９５〜５２０ｎｍにある着色領域である。
・青から黄までの色相で選択される他方の着色領域は、該領域を透過した光の波長のピークが５００〜５９０ｎｍにある着色領域、好ましくは５１０〜５８５ｎｍにある着色領域、もしくは５３０〜５６５ｎｍにある着色領域である。
【０１３６】
なお、これら波長は、透過表示の場合は、照明装置からの照明光がカラーフィルタを通して得られた数値である。反射表示の場合は、外光を反射して得られた数値である。
【０１３７】
さらに、着色領域をｘ、ｙ色度図で表現すると以下のようになる。
・青系の着色領域は、ｘ≦0.151、ｙ≦0.200にある着色領域であり、好ましくは、0.134≦ｘ≦0.151、0.034≦ｙ≦0.200にある着色領域である。
・赤系の着色領域は、0.520≦ｘ、ｙ≦0.360にある着色領域であり、好ましくは、0.550≦ｘ≦0.690、0.210≦ｙ≦0.360にある着色領域である。
・青から黄までの色相で選択される一方の着色領域は、ｘ≦0.200、0.210≦ｙにある着色領域であり、好ましくは、0.080≦ｘ≦0.200、0.210≦ｙ≦0.759にある着色領域である。
・青から黄までの色相で選択される他方の着色領域は、0.257≦ｘ、0.450≦ｙにある着色領域であり、好ましくは、0.257≦ｘ≦0.520、0.450≦ｙ≦0.720にある着色領域である。
【０１３８】
なお、これのｘ、ｙ色度図は、透過表示の場合は、照明装置からの照明光がカラーフィルタを通して得られた数値である。反射表示の場合は、外光を反射して得られた数値である。
【０１３９】
これらの着色領域は、サブ画素に透過領域と反射領域を備えた場合、透過領域及び反射領域も上述した範囲で適用することができるものである。
【０１４０】
なお、本例における着色領域を用いた場合、バックライトにはＲＧＢの光源としてＬＥＤ、蛍光管、有機ＥＬなどを用いても良い。または白色光源を用いても良い。なお、白色光源は青の発光体とYAG蛍光体により生成される白色光源でもよい。
【０１４１】
但し、ＲＧＢ光源としては、以下のものが好ましい。
・Ｂは波長のピークが４３５ｎｍ〜４８５ｎｍにあるもの
・Ｇは波長のピークが５２０ｎｍ〜５４５ｎｍにあるもの
・Ｒは波長のピークが６１０ｎｍ〜６５０ｎｍにあるもの
そして、ＲＧＢ光源の波長によって、上記CFを適切に選定すればより広範囲の色再現性を得ることができる。また、波長が例えば、４５０ｎｍと５６５ｎｍにピークがくるような、複数のピークを持つ光源を用いても良い。
【０１４２】
上記の着色領域の構成の例としては、具体的には以下のものがあげられる。
・色相が、赤、青、緑、シアン（青緑）の着色領域を含む複数の着色領域
・色相が、赤、青、緑、黄の着色領域を含む複数の着色領域
・色相が、赤、青、深緑、黄の着色領域を含む複数の着色領域
・色相が、赤、青、エメラルドグリーン、黄緑の着色領域を含む複数の着色領域
・色相が、赤、青、エメラルドグリーン、黄を含む着色領域を含む複数の着色領域
・色相が、赤、青、深緑、黄緑を含む着色領域を含む複数の着色領域
・色相が、赤、青緑、深緑、黄緑を含む着色領域を含む複数の着色領域
【図面の簡単な説明】
【０１４３】
【図１】第１実施形態に係る画像表示装置の概略構成を示すブロック図である。
【図２】表示部の各画素を拡大して示した概略図である。
【図３】表示部の具体的な構成を示す図である。
【図４】表示部の表示特性の一例を示した図である。
【図５】第１実施形態に係るサブ画素誤差確認処理を示すフローチャートである。
【図６】輝度−反対色成分に対するフィルタ特性を表した図である。
【図７】サブ画素誤差確認処理によって得られた結果の一例を示す図である。
【図８】ＲＧＢＥＧＹの配置候補を示した図である。
【図９】図８の６０個の配置候補に対して、サブ画素誤差確認処理を行ったときの結果を示す図である。
【図１０】ＲＧＢＥＧＹの彩度や彩度加算値を具体的に示した図である。
【図１１】サブ画素配置処理を示すフローチャートである。
【図１２】第２実施形態における表示部の表示特性の一例を示した図である。
【図１３】ＲＧＢＥＧＷの彩度や彩度加算値を具体的に示した図である。
【図１４】第２実施形態に係るサブ画素配置処理を示すフローチャートである。
【図１５】ＲＧＢＥＧＷの配置候補を示した図である。
【図１６】図１５の６０個の配置候補に対して、サブ画素誤差確認処理を行ったときの結果を示す図である。
【図１７】第３実施形態における表示部の表示特性の一例を示した図である。
【図１８】ＲＧＢＥＧＹＷの彩度や彩度加算値を具体的に示した図である。
【図１９】第３実施形態に係るサブ画素配置処理を示すフローチャートである。
【図２０】第４実施形態に係る画像表示装置の概略構成を示すブロック図である。
【図２１】ＲＧＢにおいて表示画素配置を変更する例を説明するための図である。
【図２２】第４実施形態の第１の例に係る表示画素配置を説明するための図である。
【図２３】第４実施形態の第２の例に係る表示画素配置を説明するための図である。
【図２４】第４実施形態の第３の例に係る表示画素配置を説明するための図である。
【図２５】本発明を適用した電子機器の全体構成を示す概略構成図である。
【図２６】本発明を適用した電子機器の具体例を示す図である。
【符号の説明】
【０１４４】
１０  画像処理部、  １２  色変換回路、  １５  テーブル格納メモリ、  １６  γ補正回路、  ２１  データ線駆動回路、  ２２  走査線駆動回路、  ２３  表示部、  １００、１０１  画像表示装置
【図１】
0005194369.tif 000002
【図２】
0005194369.tif 000003
【図３】
0005194369.tif 000004
【図４】
0005194369.tif 000005
【図５】
0005194369.tif 000006
【図６】
0005194369.tif 000007
【図７】
0005194369.tif 000008
【図８】
0005194369.tif 000009
【図９】
0005194369.tif 000010
【図１０】
0005194369.tif 000011
【図１１】
0005194369.tif 000012
【図１２】
0005194369.tif 000013
【図１３】
0005194369.tif 000014
【図１４】
0005194369.tif 000015
【図１５】
0005194369.tif 000016
【図１６】
0005194369.tif 000017
【図１７】
0005194369.tif 000018
【図１８】
0005194369.tif 000019
【図１９】
0005194369.tif 000020
【図２０】
0005194369.tif 000021
【図２１】
0005194369.tif 000022
【図２２】
0005194369.tif 000023
【図２３】
0005194369.tif 000024
【図２４】
0005194369.tif 000025
【図２５】
0005194369.tif 000026
【図２６】
0005194369.tif 000027